(57)【要約】【課題】単一の駆動手段によって可動部材を複数の態様で動作させる。【解決手段】可動演出装置４０は、ベース本体４２に対して上下変位する支持部材と、この支持部材に対して上下変位可能で、駆動モータＭによって作動される作動部材によって移動される連係部材と、この連係部材に揺動可能に配設された可動部材６０とを備えている。可動部材６０は、連係部材の第１作動範囲において、規制部６４との当接により第１姿勢に保持されたまま上下変位し、連係部材の第２作動範囲において、規制部６４との相対的な当接位置の変化により上下変位しつつ姿勢変位が許容される。【選択図】図１３
2014100251.tif 000002
【特許請求の範囲】
【請求項１】
遊技演出に応じて動作する可動演出装置を備えた遊技機において、
前記可動演出装置は、
ベースにスライド可能に配設され、高位置およびこの高位置より下降した低位置の間で上下変位可能な支持部材と、
前記支持部材にスライド可能に配設され、前記高位置にある支持部材の上部位置に位置する上昇位置および前記低位置にある支持部材の下部位置に位置する下降位置の間で上下変位可能な連係部材と、
駆動手段によって作動され、前記連係部材を上昇位置および下降位置の間で移動させる作動部材と、
前記連係部材に揺動可能に配設され、第１姿勢から第２姿勢へ向けて自重により付勢される可動部材と、
前記支持部材に、前記上部位置から前記下部位置へ向けた前記連係部材の変位の所定範囲に亘って前記可動部材の第１姿勢から第２姿勢へ向けた揺動軌跡に重なるように設けられ、連係部材の上部位置で該可動部材を第１姿勢で保持するように当接すると共に、該連係部材の下部位置で該可動部材の第２姿勢を許容する規制部とを備え、
前記上部位置にある前記連係部材の上下変位に連動して前記支持部材が高位置および低位置の間で上下変位する第１作動範囲において、前記可動部材と前記規制部との相対的な位置関係が保たれて該可動部材が第１姿勢で保持されると共に、
前記低位置で下降規制された前記支持部材に対して前記連係部材が上下変位する第２作動範囲において、連係部材の下降につれて前記規制部の当接部位が前記可動部材の揺動端側から揺動中心側にずれて、該可動部材の第１姿勢から第２姿勢へ向けた姿勢変位を許容するよう構成された
ことを特徴とする遊技機。
【請求項２】
前記可動演出装置は、前記第２作動範囲での前記連係部材の上昇につれて前記規制部の当接部位が前記可動部材の揺動中心側から揺動端側にずれて、該可動部材が第２姿勢から第１姿勢へ向けて押されるよう構成された請求項１記載の遊技機。
【請求項３】
前記可動演出装置は、前記ベースの前側に配設されて、前記連係部材の第１作動範囲での変位に連動して、第１状態および第２状態の間で動作する可動演出手段を備え、
前記可動演出手段は、前記連係部材の上昇位置で保持された第１状態から該連係部材の下降につれて自重により第２状態へ向けて動作し、低位置にある前記支持部材の上部位置に該連係部材が位置する中間位置において前記第２状態となるよう構成され、
前記可動部材は、前記第２作動範囲での前記連係部材の変位につれて、第２状態にある前記可動演出手段の下方に出没するよう構成された請求項１または２記載の遊技機。
【請求項４】
前記作動部材は、一端部が前記ベースに対して揺動可能に軸支されると共に他端部が前記連係部材に接続され、該一端部および他端部の間に設けられた作動溝に、前記駆動手段により回転される回転体の偏心位置に設けられた作動軸が係合し、
前記作動軸が前記回転体における回転中心の直上または該直上よりも前記作動部材の一端部側または他端部側に偏倚した初期位置において、前記作動溝により前記回転体の逆回転に伴う該作動軸の変位が規制される一方、該作動溝により該回転体の正回転に伴う該作動軸の変位が許容され、
前記作動部材は、前記初期位置にある前記作動軸に支持されて、前記連係部材を上昇位置とする姿勢が保持されると共に、前記駆動手段による前記回転体の正回転に伴って作動軸が初期位置から変位するにつれて、他端部側が下がるように姿勢変位される請求項１〜３の何れか一項に記載の遊技機。
【請求項５】
前記規制部は、前記可動部材との当接面が、上方から下方に向かうにつれて該可動部材の揺動中心から離れるように湾曲形成された請求項１〜４の何れか一項に記載の遊技機。
【発明の詳細な説明】
【技術分野】
【０００１】
この発明は、遊技演出に応じて動作する可動演出装置を備えた遊技機に関するものである。
【背景技術】
【０００２】
代表的な遊技機であるパチンコ機は、機内にセットされる遊技盤の盤面に画成した遊技領域の略中央位置に枠状の装飾部材(所謂センター役物)が配設されて、該装飾部材の開口部から液晶式やドラム式等の図柄表示装置を臨ませ、この図柄表示装置で図柄変動演出やリーチ演出等の遊技演出を行うよう構成されている。また、パチンコ機では、所要の動作を行なう可動体を装飾部材に配設し、該可動体を図柄表示装置で行われる遊技演出に合わせて動作させることにより、視覚的な演出効果を向上させて遊技の興趣を高めている(例えば、特許文献１参照)。
【０００３】
特許文献１に開示のパチンコ機は、装飾部材の開口上部に、昇降動作可能に配設された可動体としての演出用ユニットを備え、演出上の所定の契機において、演出用ユニットを昇降作動装置によって昇降動作することで、遊技者の注意を引くことを狙っている。
【先行技術文献】
【特許文献】
【０００４】
【特許文献１】特開２００６−２２３６５９号公報
【発明の概要】
【発明が解決しようとする課題】
【０００５】
しかしながら、特許文献１の演出ユニットは、全体が上下に移動する単純な動作を行うだけなので、遊技者の注意を十分に引きつけることが難しい。そこで、演出ユニットを昇降動作だけでなく、揺動などの他の動作も行い得るよう構成することが考えられる。この場合は、演出ユニットを昇降動作させる昇降作動装置だけでなく、演出ユニットに揺動等の他の動作を行わせるモータ等の駆動手段が別個に必要となり、部品点数が多くなってコストが嵩む問題を招く。
【０００６】
すなわち、本発明は、従来技術に係る遊技機に内在する前記問題に鑑み、これらを好適に解決するべく提案されたものであって、単一の駆動手段によって可動部材を複数の態様で動作させ得る遊技機を提供することを目的とする。
【課題を解決するための手段】
【０００７】
前記課題を克服し、所期の目的を達成するため、本願の請求項１に係る発明の遊技機は、
遊技演出に応じて動作する可動演出装置(40)を備えた遊技機において、
前記可動演出装置(40)は、
ベース(42)にスライド可能に配設され、高位置およびこの高位置より下降した低位置の間で上下変位可能な支持部材(56)と、
前記支持部材(56)にスライド可能に配設され、前記高位置にある支持部材(56)の上部位置に位置する上昇位置および前記低位置にある支持部材(56)の下部位置に位置する下降位置の間で上下変位可能な連係部材(58)と、
駆動手段(M)によって作動され、前記連係部材(58)を上昇位置および下降位置の間で移動させる作動部材(62)と、
前記連係部材(58)に揺動可能に配設され、第１姿勢から第２姿勢へ向けて自重により付勢される可動部材(60)と、
前記支持部材(56)に、前記上部位置から前記下部位置へ向けた前記連係部材(58)の変位の所定範囲に亘って前記可動部材(60)の第１姿勢から第２姿勢へ向けた揺動軌跡に重なるように設けられ、連係部材(58)の上部位置で該可動部材(60)を第１姿勢で保持するように当接すると共に、該連係部材(58)の下部位置で該可動部材(60)の第２姿勢を許容する規制部(64)とを備え、
前記上部位置にある前記連係部材(58)の上下変位に連動して前記支持部材(56)が高位置および低位置の間で上下変位する第１作動範囲において、前記可動部材(60)と前記規制部(64)との相対的な位置関係が保たれて該可動部材(60)が第１姿勢で保持されると共に、
前記低位置で下降規制された前記支持部材(56)に対して前記連係部材(58)が上下変位する第２作動範囲において、連係部材(58)の下降につれて前記規制部(64)の当接部位が前記可動部材(60)の揺動端側から揺動中心側にずれて、該可動部材(60)の第１姿勢から第２姿勢へ向けた姿勢変位を許容するよう構成されたことを要旨とする。
請求項１に係る発明によれば、可動部材は、第１作動範囲での連係部材の上下変位につれて第１姿勢を保ったまま上下方向に移動すると共に、第１作動範囲よりも下側の第２作動範囲での連係部材の下降につれて、第１姿勢から第２姿勢へ向けて自重により徐々に姿勢変位する。このように、姿勢を変えることなく可動部材が上昇または下降する態様と、下降しつつ可動部材が第１姿勢から第２姿勢へ姿勢変位する態様との異なる動作を、複数の駆動手段を用いることなく行わせることができる。すなわち、可動演出装置は、複数の態様で動作する可動部材による興趣のある演出を、少ない部品で実施し得ると共に、コストを低廉にし得る。
【０００８】
請求項２に係る発明では、前記可動演出装置(40)は、前記第２作動範囲での前記連係部材(58)の上昇につれて前記規制部(64)の当接部位が前記可動部材(60)の揺動中心側から揺動端側にずれて、該可動部材(60)が第２姿勢から第１姿勢へ向けて押されるよう構成されたことを要旨とする。
請求項２に係る発明によれば、可動部材は、第１作動範囲での連係部材の上下変位につれて第１姿勢を保ったまま上下方向に移動すると共に、第２作動範囲での連係部材の上昇につれて、第２姿勢から第１姿勢へ向けて規制部により押されて徐々に姿勢変位する。このように、姿勢を変えることなく可動部材が上昇または下降する態様と、下降しつつ可動部材が第１姿勢から第２姿勢へ姿勢変位する態様と、上昇しつつ可動部材が第２姿勢から第１姿勢へ姿勢変位する態様との異なる動作を、複数の駆動手段を用いることなく行わせることができる。
【０００９】
請求項３に係る発明では、前記可動演出装置(40)は、前記ベース(42)の前側に配設されて、前記連係部材(58)の第１作動範囲での変位に連動して、第１状態および第２状態の間で動作する可動演出手段(K2)を備え、
前記可動演出手段(K2)は、前記連係部材(58)の上昇位置で保持された第１状態から該連係部材(58)の下降につれて自重により第２状態へ向けて動作し、低位置にある前記支持部材(56)の上部位置に該連係部材(58)が位置する中間位置において前記第２状態となるよう構成され、
前記可動部材(60)は、前記第２作動範囲での前記連係部材(58)の変位につれて、第２状態にある前記可動演出手段(K2)の下方に出没するよう構成されたことを要旨とする。
請求項３に係る発明によれば、連係部材の上下変位に連動して、可動演出手段を動作させることができ、可動部材の動作と可動演出手段の動作とを複合させた興趣に富んだ演出を、複数の駆動手段を用いることなく行うことができる。
【００１０】
請求項４に係る発明では、前記作動部材(62)は、一端部が前記ベース(42)に対して揺動可能に軸支されると共に他端部が前記連係部材(58)に接続され、該一端部および他端部の間に設けられた作動溝(62c)に、前記駆動手段(M)により回転される回転体(68)の偏心位置に設けられた作動軸(69)が係合し、
前記作動軸(69)が前記回転体(68)における回転中心の直上または該直上よりも前記作動部材(62)の一端部側または他端部側に偏倚した初期位置において、前記作動溝(62c)により前記回転体(68)の逆回転に伴う該作動軸(69)の変位が規制される一方、該作動溝(62c)により該回転体(68)の正回転に伴う該作動軸(69)の変位が許容され、
前記作動部材(62)は、前記初期位置にある前記作動軸(69)に支持されて、前記連係部材(58)を上昇位置とする姿勢が保持されると共に、前記駆動手段(M)による前記回転体(68)の正回転に伴って作動軸(69)が初期位置から変位するにつれて、他端部側が下がるように姿勢変位されることを要旨とする。
請求項４に係る発明によれば、駆動手段から作動部材に駆動力を伝える回転体の作動軸によって、連係部材を上昇位置とした作動部材を適切に支持することができるので、下降位置から上昇位置に持ち上げた連係部材を支持するために別途のストッパなどを必要とせず、更に部品点数を減らすことができる。
【００１１】
請求項５に係る発明では、前記規制部(64)は、前記可動部材(60)との当接面が、上方から下方に向かうにつれて該可動部材(60)の揺動中心から離れるように湾曲形成されたことを要旨とする。
請求項５に係る発明によれば、規制部における可動部材との当接面が湾曲するように形成されているので、規制部と可動部材との摺動負荷が軽減し、可動部材を円滑に姿勢変位させることができる。
【発明の効果】
【００１２】
本発明に係る遊技機によれば、単一の駆動手段によって可動部材を複数の態様で動作させ得る。
【図面の簡単な説明】
【００１３】
【図１】本発明の好適な実施例に係るパチンコ機を前側から示す概略正面図である。
【図２】実施例の遊技盤を示す正面図であり、(ａ)は可動演出手段が初期状態にあり、(ｂ)は可動演出手段が最大動作状態にある。
【図３】実施例の設置部材を、可動演出装置以外の部材を取り外した状態で示す概略斜視図である。
【図４】実施例の可動演出装置を示す正面図であり、可動演出手段が初期状態にある。
【図５】(ａ)は、実施例の可動演出装置を可動演出手段の初期状態で示す背面図であり、(ｂ)は(ａ)から第２後ベースを取り外した状態を示す。
【図６】(ａ)は図４のＡ−Ａ線断面図であり、(ｂ)は図４のＢ−Ｂ線断面図である。
【図７】(ａ)は図４のＣ−Ｃ線断面図であり、(ｂ)は図４のＤ−Ｄ線断面図である。
【図８】(ａ)は初期状態にある第１可動演出手段および駆動機構を示す説明図であり、(ｂ)は初期状態にある第２可動演出手段の連係構造を示す説明図である。
【図９】(ａ)は、実施例の可動演出装置を可動演出手段の中間状態で示す正面図であり、(ｂ)は第２後ベースを取り外した状態で示す(ａ)の背面図である。
【図１０】図９(ａ)のＥ−Ｅ線断面図である。
【図１１】図９(ａ)のＦ−Ｆ線断面図である。
【図１２】(ａ)は中間状態にある第１可動演出手段および駆動機構を示す説明図であり、(ｂ)は中間状態にある第２可動演出手段の連係構造を示す説明図である。
【図１３】(ａ)は、実施例の可動演出装置を可動演出手段の最大動作状態で示す正面図であり、(ｂ)は第２後ベースを取り外した状態で示す(ａ)の背面図である。
【図１４】図１３(ａ)のＧ−Ｇ線断面図である。
【図１５】最大動作状態にある第１可動演出手段および駆動機構を示す説明図である。
【図１６】実施例の可動演出装置の分解斜視図であり、斜め前側から視ている。
【図１７】実施例の可動演出装置の分解斜視図であり、斜め後側から視ている。
【図１８】第２作動範囲での可動部材と規制部との関係を示す説明図である。
【図１９】第２可動演出手段を示す説明図であり、(ａ)は初期状態にあり、(ｂ)は中間状態にある。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立(後述する始動入賞口３０,３２へのパチンコ球の入賞)を契機として図柄を変動表示させて図柄変動演出を行う図柄表示装置１７が着脱可能に配設されている。また、中枠１２の前面側には、遊技盤２０を透視保護するガラス板や透明な合成樹脂材により形成された透視保護板(図示せず)で前後に開口する窓口１３ａを覆うよう構成された装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１６】
前記中枠１２の右下方位置には、該中枠１２に配設された打球発射装置(図示せず)を作動する操作ハンドル１６が設けられている。操作ハンドル１６は、左回転方向に付勢された操作レバー１６ａを備えており、該操作レバー１６ａを右回転するよう遊技者が回動操作することで打球発射装置が作動されて、上球受け皿１４に貯留されたパチンコ球が遊技盤２０の遊技領域２０ａに向けて１球ずつ発射されるようになっている。ここで、操作レバー１６ａの回動量に応じて打球発射装置によるパチンコ球の打球力が強弱変化するよう構成されており、遊技者が操作レバー１６ａの回動量を調節することで、前記遊技領域２０ａへのパチンコ球の発射位置を任意に変更し得るようになっている。なお、実施例では、図柄表示装置１７としては、飾図の他に各種絵柄やキャラクタ等を表示可能な液晶パネルを収容ケースに収容した液晶表示装置が採用されているが、これに限られるものではなく、ドラム式の図柄表示装置やドットマトリックス式の図柄表示装置等の各種図柄を停止および変動表示可能な従来公知の各種の表示装置を採用し得る。また、上球受け皿１４は、前枠１３と別体に形成して中枠１２に対して開閉可能に組み付けるようにしてもよい。
【００１７】
(遊技盤２０)
図２に示すように、前記遊技盤２０は、ベニヤ材や合成樹脂材により形成された略矩形状の板部材であって、遊技盤２０の裏面側に、図柄表示装置１７が取り付けられた設置部材２２(図３参照)が着脱可能に組み付けられている。遊技盤２０の前面には、略円形状に湾曲形成した案内レール２４が配設されており、該案内レール２４により画成される略円形の遊技領域２０ａに、中枠１２に配設された図示しない打球発射装置から発射されたパチンコ球が打ち出されることで遊技が行われるようになっている。また、遊技盤２０には、前後に貫通する装着口(図示せず)が適宜位置に開設されており、各装着口に対して各種の遊技盤設置部品(具体的には枠状装飾体２６、特別入賞装置３４、普通入賞装置３６等)が前側から取り付けられると共に、遊技領域２０ａの最下部位置には、該遊技領域２０ａに打ち出されたパチンコ球を排出するアウト口２５が開設されている。なお、前記装着口の形成数は、遊技盤２０に取り付けられる各種遊技盤設置部品の個数や配設位置等により必要に応じて適宜変更される。
【００１８】
前記遊技盤２０には、図２に示すように、案内レール２４で囲まれた遊技領域２０ａの略中央で開口する装着口に、前後に開口する表示窓口２５ａが形成されたセンター役とも称される枠状装飾体２６が取り付けられ、該枠状装飾体２６の表示窓口２６ａを介して図柄表示装置１７の画像表示部１７ａが遊技盤２０の前面側に臨むよう構成されている。なお、遊技盤２０には、遊技領域２０ａ内に多数の遊技釘が設けられており、遊技領域２０ａを流下するパチンコ球が遊技釘に接触することで、流下方向が不規則に変化するよう構成されている。また、遊技盤２０における枠状装飾体２６の右側下方位置に開設された装着口に、遊技領域２０ａを流下するパチンコ球が入賞可能な特別入賞口３４ａを有する特別入賞装置３４が取り付けられている。
【００１９】
(枠状装飾体)
前記遊技盤２０に配設される枠状装飾体２６は、図２に示すように、図柄表示装置１７の画像表示部１７ａを前側に臨ませる表示窓口２６ａを画成する上枠部２６ｂの下側に、各種の遊技部品を前側に臨ませる演出用窓口２６ｃを画成する下枠部２６ｄが連設されている。なお、下枠部２６ｄは、上枠部２６ｂに対して左右方向の寸法が小さく設定されて、該下枠部２６ｄの左右両側の遊技領域２０ａに、特別入賞装置３４や普通入賞装置３６を設置するスペースを確保するよう構成される。
【００２０】
前記枠状装飾体２６(上枠部２６ｂおよび下枠部２６ｄ)は、その全周に亘って遊技盤２０の前面から前方へ突出するよう形成されて、遊技領域２０ａと表示窓口２６ａおよび演出用窓口２６ｃとを区画するよう構成されており、遊技領域２０ａを流下するパチンコ球が枠状装飾体２６の窓口内側に進入しないようになっている。すなわち、実施例の遊技領域２０ａは、枠状装飾体２６の左側に画成される第１球流下経路と、当該枠状装飾体２６の右側に画成される第２球流下経路とに区画されて、遊技盤２０の遊技領域２０ａに打ち出されるパチンコ球の位置や発射強度に応じて、該第１球流下経路または第２球流下経路をパチンコ球が流下するようになっている。
【００２１】
実施例のパチンコ機１０では、始動入賞口３０に入賞して演出用窓口２６ｃの内側に案内された全てのパチンコ球は、球遊びユニット２８に導入されるよう構成される。そして、当該球遊びユニット２８で所定の球遊び遊技に供されたパチンコ球は、再び遊技領域２０ａに排出されることなく機外に排出されるよう構成される。
【００２２】
前記遊技盤２０には、遊技領域２０ａを流下するパチンコ球が入賞可能な入賞口３０,３２,３４ａ,３６ａが適宜の位置に設けられており、各入賞口３０,３２,３４ａ,３６ａへのパチンコ球の入賞を賞球の払出条件として、各入賞口毎に定めた払い出し個数の賞球が払い出されるよう構成されている。実施例のパチンコ機１０では、パチンコ球の入賞を契機として賞球の払出条件が成立すると共に図柄変動演出の開始条件が成立する始動入賞口３０,３２と、当り遊技の発生を契機としてパチンコ球の入賞が可能となると共にパチンコ球の入賞を契機として賞球の払出条件が成立する特別入賞口３４ａと、パチンコ球の入賞を契機として賞球の払出条件が成立する普通入賞口３６ａとが設けられている。具体的に、始動入賞口３０,３２は、枠状装飾体２６の左右側部に夫々設けられ、特別入賞口３４ａは、遊技領域２０ａの第２球流下経路に設けられると共に、普通入賞口３６ａは、遊技領域２０ａの第１球流下経路および第２球流下経路の夫々に設けられている。
【００２３】
(設置部材)
図３に示すように、前記設置部材２２は、略矩形状の背面板２３ａと、該背面板２３ａの外周縁部から前方に突出する画壁部２３ｂとから前方に開口した箱状に形成されて、該画壁部２３ｂの開口前端部を遊技盤２０の裏面に当接させた状態で、当該遊技盤２０と設置部材２２とがネジにより固定される。そして、設置部材２２において遊技盤２０との間に画成される空間に、可動演出装置４０などの各種装置が設置されて、設置部材２２を基材とする１つのユニットとして扱い得るようになっている。また、設置部材２２の背面板２３ａには、枠状装飾体２６の表示窓口２６ａと前後に整列する位置に、略矩形状の開口部２２ａが前後に開口するよう開設されると共に、該背面板２３ａの裏側に図柄表示装置１７が着脱自在に取付けられて、該開口部２２ａを介して図柄表示装置１７の画像表示部１７ａが遊技盤２０の前側に臨むようになっている。
【００２４】
(可動演出装置)
図３に示すように、設置部材２２における開口部２２ａの上側には、可動演出装置４０が背面板２３ａの前面に取り付けられ、可動演出装置４０が枠状装飾体２６の表示窓口２６ａの内側に臨んでいる。可動演出装置４０は、表示窓口２６ａを介して前側から視認可能になっており、該表示窓口２６ａに臨む図柄表示装置１７の画像表示部１７ａの上側に配置される(図１参照)。可動演出装置４０は、ベース本体４２と、このベース本体４２に支持された複数の可動演出手段Ｋ１,Ｋ２と、ベース本体４２に配設され、複数の可動演出手段Ｋ１,Ｋ２を動作させる駆動機構ＤＭとを備えている。可動演出装置４０は、遊技演出に応じて、駆動機構ＤＭによって複数の可動演出手段Ｋ１,Ｋ２を駆動することで、各可動演出手段Ｋ１,Ｋ２が所定の動作演出を行うようになっている。ここで、パチンコ機１０で実行される遊技演出とは、図柄表示装置１７の画像表示部１７ａにおいての各種図柄が変動する図柄変動演出、リーチ演出、リーチ予告演出、大当り演出等の表示による演出、スピーカからの音声出力による演出、光を照射し得る装置による光による演出などを指す。なお、パチンコ機１０で実行される遊技演出は、パチンコ機１０の外側に現れない内部的であっても、パチンコ機１０の外側に現れる外部的であっても何れであってもよい。
【００２５】
図４〜図７に示すように、前記可動演出装置４０は、設置部材２２に取り付けられるベース本体４２に、複数の可動演出手段Ｋ１,Ｋ２および駆動機構ＤＭ等が配設されて、ベース本体４２を介して設置部材２２への着脱等を一体的に行い得る１つのユニットとして構成される。また、実施例の可動演出装置４０は、第１可動演出手段Ｋ１と、この第１可動演出手段Ｋ１に重複可能に配設された第２可動演出手段(可動演出手段)Ｋ２との２つを有し、これらの可動演出手段Ｋ１,Ｋ２が駆動機構ＤＭの１つの駆動モータ(駆動手段)Ｍによって動作するようになっている。また、可動演出装置４０は、第１可動演出手段Ｋ１の可動部材６０がベース本体４２の内部から出没するように動作すると共に、ベース本体４２の前側に支持された第２可動演出手段Ｋ２の可動物７６,７８,８０,８２が、第１可動演出手段Ｋ１の所定範囲の動作に連動して所定の動作を行うよう構成される(図４,図９および図１３参照)。
【００２６】
前記可動演出装置４０は、初期状態において、第１可動演出手段Ｋ１の可動部材６０がベース本体４２に収容されると共に、第２可動演出手段Ｋ２の可動物７６,７８,８０,８２がまとまるようになっている(図４(ａ)参照)。また、可動演出装置４０は、初期状態および中間状態の間において、第１可動演出手段Ｋ１と第２可動演出手段Ｋ２とが連動して動作するよう構成され、中間位置において、第１可動演出手段Ｋ１の可動部材６０がベース本体４２から突き出ると共に、第２可動演出手段Ｋ２の可動物７６,７８,８０,８２が広がるようになっている(図９(ａ)および図１９(ｂ)参照)。可動演出装置４０は、中間状態および最大動作状態の間において、第２可動演出手段Ｋ２の可動物７６,７８,８０,８２が中間状態の姿勢を保ち第１可動演出手段Ｋ１の可動部材６０が動作するよう構成され、最大動作位置においてベース本体４２から中間状態より更に突き出た可動部材６０が中間状態から姿勢を変えるようになっている(図１３(ａ)参照)。実施例の可動演出装置４０は、初期状態において図柄表示装置１７の画像表示部１７ａの上側に退避しており(図２(ａ)参照)、初期状態から中間状態になると前記可動部材６０および可動物７６,７８,８０,８２が画像表示部１７ａの前側に迫り出し、中間状態から最大動作状態になると中間状態よりも可動部材６０と画像表示部１７ａとの重なりが大きくなる(図２(ｂ)参照)。
【００２７】
(ベース本体)
前記ベース本体４２は、内部に各種部材の設置スペースが画成された箱状体であり、複数のベース４４,４６,４８,５０を組み合わせて構成される(図１６および図１７参照)。ベース本体４２は、第１後ベース４４と、この第１後ベース４４の後側に取り付けられ、第１後ベース４４との間に設置スペースに画成する第２後ベース４６とからなる後ベース組を有し、この後ベース組４４,４６に第１可動演出手段Ｋ１および駆動機構ＤＭが主に配設される。また、ベース本体４２は、第１前ベース４８と、この第１前ベース４８の前側に取り付けられ、第１前ベース４８との間に設置スペースを画成する第２前ベース５０とからなる前ベース組を有し、この前ベース組４８,５０に第２可動演出手段Ｋ２が主に配設される。第２前ベース５０の前面には、装飾カバー５２が取り付けられ、この装飾カバー５２が機前側から視認可能なベース本体４２の意匠面を構成している。なお、装飾カバー５２には、第２前ベース５０に部材の挿通のために設けられる開口５０ｂ,５０ｃ,５０ｅ,５０ｆ,５０ｇに対応して開口が形成される。
【００２８】
前記第１後ベース４４の前側には、第１前ベース４８が取り付けられ、第１後ベース４４と第１前ベース４８との間に画成された設置スペースに、前方へ向けて光を照射し得るベース発光手段５４が収納されている(図７および図１１参照)。そして、ベース本体４２は、ベース発光手段５４の前側に配置される前ベース組４８,５０が少なくとも光を透過し得るよう構成され、実施例では、前ベース組４８,５０だけでなく後ベース組４４,４６も透明な合成樹脂の成形品が用いられる。すなわち、ベース本体４２は、後ベース組４４,４６の設置スペースに配設された部材や、第１後ベース４４の前側に配設された部材を、該ベース本体４２の後側から視認可能になっている。また、後ベース組４４,４６から取り外した前ベース組４８,５０は、該前ベース組４８,５０の設置スペースに配設された部材を、第１前ベース４８の後側から視認可能になっている。そして、可動演出装置４０は、可動演出手段Ｋ１,Ｋ２や駆動機構ＤＭなどを取り外すことなく、第１後ベース４４と第１前ベース４８とを分離可能に構成される。従って、可動演出装置４０は、後ベース組４４,４６、第１可動演出手段Ｋ１および駆動機構ＤＭをひとまとまりのユニットとして取り扱い可能であり、前ベース組４８,５０および第２可動演出手段Ｋ２をひとまとまりのユニットとして取り扱い可能になっている。
【００２９】
(第１可動演出手段)
図８(ａ)、図１２(ａ)および図１５に示すように、前記第１可動演出手段Ｋ１は、第１後ベース(ベース)４４にスライド可能に配設された支持部材５６と、この支持部材５６にスライド可能に配設された連係部材５８と、この連係部材５８に動作可能に配設された可動部材６０とを備えている。第１可動演出手段Ｋ１は、駆動機構ＤＭの駆動モータＭによって作動される作動部材６２によって連係部材５８が移動されるのに伴って、可動部材６０が所定の動作を行うように構成される。ここで、可動部材６０は、連係部材５８の移動方向に動く態様と、支持部材５６に設けられた規制部６４との当接関係の変動に伴う重心の変化によって、該連係部材５８の移動方向と同じ方向に動きつつ姿勢変位する態様(図１８参照)との２つのパターンで動作するようになっている。
【００３０】
(支持部材)
前方に開口する略箱状に形成された前記第１後ベース４４の後壁前面に、一対の支持部材５６,５６が左右に離間して配設される(図７参照)。各支持部材５６は、例えば透明な合成樹脂からなる板状の部材であり、上下方向に長く形成される(図８(ａ),図１２(ａ)および図１５参照)。なお、両支持部材５６,５６は、左右対称な形状である。支持部材５６は、第１後ベース４４の後壁より前方に立ち上がる内側壁４４ａから内側方へ延出する固定支持片４４ｂと該後壁との間に、該支持部材５６の外側縁が板厚方向に挟まれると共に、該内側壁４４ａから内側に離間して設置された設置支持片４５と該後壁との間に、該支持部材５６の内側縁が板厚方向に挟まれて支持される。これにより、支持部材５６は、前後左右方向の移動が規制される一方、上下方向のスライド移動が許容され、高位置(図６および図８(ａ)参照)およびこの高位置よりも下降した低位置(図１０および図１２参照)の間で上下変位可能になっている。ここで、支持部材５６は、自重による下降が許容されるように、第１後ベース４４に支持されており、該支持部材５６に接続される連係部材５８の動きに応じて上下変位するよう構成される。
【００３１】
前記高位置にある支持部材５６は、その下端部を除く大部分が第１後ベース４４に対して前後に重なって、ベース本体４２の内側(第１後ベース４４と第１前ベース４８との間の設置スペース)に大部分が収容される(図４,図５および図６参照)。低位置にある支持部材５６は、第１後ベース４４の下縁から下方へ延出して、ベース本体４２の内側から突き出るようになっている(図９および図１０参照)。なお、実施例では、低位置にある支持部材５６におけるベース本体４２から突出した突出部分に、動作した第２可動演出手段Ｋ２の可動装飾体が前側に重なり、当該突出部分が機前側から視認され難くなっている。支持部材５６の上端部には、左右両側に夫々延出する掛止片５６ａが形成され(図８(ａ)参照)、固定支持片４４ｂが形成された内側壁４４ａの上端および設置支持片４５の上端に、前記低位置で掛止片５６ａが引っ掛かることで支持部材５６の下降が規制される。また、支持部材５６は、その上端が第１後ベース４４の上縁に延在する上壁下面に当接することで上昇が規制される。支持部材５６には、上下方向に長手が延在する長尺なスライド孔５６ｂが、上部から下部に亘って形成される(図８(ａ)参照)。
【００３２】
前記支持部材５６には、可動部材６０に当接可能な規制部６４が設けられている(図８(ａ)参照)。規制部６４は、支持部材５６の下端部内側に、可動部材６０側となる内方へ向けて膨出するように形成され、可動部材６０との当接面が湾曲している。ここで、規制部６４は、連係部材５８に対して揺動可能に支持された可動部材６０との当接面が、上方から下方に向かうにつれて該可動部材６０の揺動中心から離れるように湾曲形成される。
【００３３】
(連係部材)
前記連係部材５８は、例えば透明な合成樹脂からなる板状の部材であり、左右方向に長く形成されている(図８(ａ),図１２(ａ)および図１５参照)。連係部材５８は、右側部が右側の支持部材５６によって支持されると共に、左側部が左側の支持部材５６によって支持され、両支持部材５６がベース本体４２に対して上下変位可能な範囲を上下変位するだけでなく、支持部材５６自体に対しても上下変位が可能に構成される。具体的には、支持部材５６におけるスライド孔５６ｂの前側に重ねた連係部材５８の側部に、スライド孔５６ｂの後側から挿通した連係部材ボス(図示せず)を介して連係部材取付片５７をネジ止め固定し、連係部材５８と連係部材取付片５７との間に支持部材５６を挟んでいる。これにより、連係部材５８は、連係部材取付片５７との支持部材５６の挟持により前後方向の移動が規制されると共にスライド孔５６ｂの左右側縁により左右方向の移動が規制され、スライド孔５６ｂの長手辺に沿った上下方向の移動が許容されるようになっている。連係部材５８は、支持部材５６に対しては、該支持部材５６の上部に位置する上部位置(図８(ａ)および図１２(ａ)参照)および該支持部材５６の下部に位置する下部位置(図１５参照)の間において、上下変位が可能になっている。ここで、連係部材５８は、上部位置で連係部材ボスがスライド孔５６ｂの上縁に引っ掛かることで、支持部材５６に対する上部位置を越えた上方変位が規制され、下部位置で連係部材ボスがスライド孔５６ｂの下縁に引っ掛かることで、支持部材５６に対する下部位置を越えた下方変位が規制される。また、連係部材５８は、下部位置において、支持部材５６の前側にも延出する規制部６４によって下縁が引っ掛かり、該規制部６４によっても下方変位が規制される。
【００３４】
前記連係部材５８は、第１後ベース４４(ベース本体４２)に対しては、高位置にある支持部材５６の上部位置に位置する上昇位置(図８(ａ)参照)および低位置にある支持部材５６の下部位置に位置する下降位置(図１５参照)の間で上下変位するよう構成される。上昇位置にある連係部材５８は、第１後ベース４４に対して前後に重なって、ベース本体４２の内側(第１後ベース４４と第１前ベース４８との間の設置スペース)に収容され、下降位置にある連係部材５８は、第１後ベース４４の下縁から延出してベース本体４２の内側から下方へ突き出るようになっている。なお、実施例では、下降位置にある連係部材５８におけるベース本体４２から突出した突出部分に、動作した第２可動演出手段Ｋ２の可動演出体７６および可動装飾体７８が前側に重なり、当該突出部分が機前側から視認され難くなっている。
【００３５】
両支持部材５６,５６は、自重による下降が許容される構成であるので、連係部材５８の連係部材ボスがスライド孔５６ｂの上縁に引っ掛かった状態(連係部材５８が支持部材５６の上部位置にある状態)において、連係部材５８の上下変位に連動して両支持部材５６,５６も上下変位する。第１可動演出手段Ｋ１は、上部位置にある連係部材５８の上下変位に連動して両支持部材５６,５６が高位置および低位置の間で上下変位する第１作動範囲において、連係部材５８および両支持部材５６,５６と、第１後ベース４４(ベース本体４２)との相対的な位置関係が変位するものの、連係部材５８と両支持部材５６,５６との相対的な位置関係が変化しないように構成される。また、両支持部材５６,５６が低位置で下降規制された状態よりも下方では、停止した両支持部材５６,５６に対して連係部材５８がスライド孔５６ｂに沿って上部位置および下部位置の間で上下変位する。第１可動演出手段Ｋ１は、低位置で下降規制された両支持部材５６,５６に対して連係部材５８が上下変位する第２作動範囲において、両支持部材５６,５６と第１後ベース４４(ベース本体４２)との相対的な位置関係が変化しないものの、連係部材５８と第１後ベース４４との相対的な位置関係が変位すると共に、連係部材５８と両支持部材５６,５６との相対的な位置関係が変化するように構成される。
【００３６】
このように、連係部材５８の上昇位置および下降位置の間の上下変位に際して、連係部材５８と両支持部材５６,５６との連動関係が、低位置にある支持部材５６の上部位置に連係部材５８が位置する中間位置で切り替わる。なお、可動演出装置４０は、連係部材５８の上昇位置で前記初期状態にあり、連係部材５８の下降位置で前記最大動作状態にあり、連係部材５８の中間位置で前記中間状態にある。ここで、連係部材５８が上昇位置および中間位置の間で動く第１作動範囲での変位距離は、支持部材５６における高位置および低位置の間の距離と同じであり、連係部材５８が中間位置および下降位置の間で動く第２作動範囲での変位距離は、該連係部材５８の上部位置および下部位置の間の距離と同じである。なお、実施例の連係部材５８は、第１作動範囲において、第１後ベース４４の前側に重なってベース本体４２の内側に収容された範囲で上下変位し、第２作動範囲において、第１後ベース４４の下縁から出没してベース本体４２に対して出入りするように上下変位する。
【００３７】
(可動部材)
前記連係部材５８には、一対の可動部材６０,６０が該連係部材に対して揺動可能に配設される(図８(ａ),図１２(ａ)および図１５参照)。可動部材６０は、連係部材５８の変位方向と交差する軸周りに揺動可能に配設され、実施例では前後の軸周りに揺動するようになっている(図１８参照)。両可動部材６０,６０は、下降位置でベース本体４２から露出する連係部材５８の下部に、左右方向に離間して配設され、互いに近接・離間する方向に揺動するよう構成される。なお、可動部材６０は、板状の部材である。可動部材６０は、連係部材５８に重ねた上部が板厚方向に貫通する支軸６１によって支持され、連係部材５８から吊り下がって該連係部材５８の下縁から延出するようになっている。可動部材６０は、連係部材５８の上昇位置において大部分がベース本体４２(第１後ベース４４と第１前ベース４８との間の設置スペース)に収容され(図４(ａ)参照)、連係部材５８の上下変位に伴ってベース本体４２の下端から出没して、少なくとも連係部材５８の下降位置において機前側から視認可能になっている(図１３(ａ)参照)。可動部材６０は、その重心が支軸６１を通る鉛直ラインを越えて対応する側(右側の可動部材６０であれば右側の支持部材５６、左側の可動部材６０であれば左側の支持部材５６を指す)の支持部材５６より離間するようにずれた第１姿勢(図８(ａ)および図１２(ａ)参照)と、重心が該第１姿勢よりも対応する側の支持部材５６に近づいた第２姿勢(図１３および図１５)との間で姿勢変位可能に構成される。可動部材６０は、自重により第１姿勢から第２姿勢へ向けて付勢される。そして、両可動部材６０,６０は、第１姿勢から第２姿勢および第２姿勢から第１姿勢へ向けて同期して動作するように構成され、片方の可動部材６０が第１姿勢であれば他方の可動部材６０も第１姿勢にあり、片方の可動部材６０が第２姿勢にあれば他方の可動部材６０も第２姿勢になっている。
【００３８】
図８(ａ),図１２(ａ)および図１５に示すように、右側の可動部材６０には、右側の支持部材５６の下端部に設けられた規制部６４が当接し、左側の可動部材６０には、左側の支持部材５６の下端部に設けられた規制部６４が当接するようになっている。実施例では、第１姿勢にある両可動部材６０,６０が、互いに近づいてまとまり(図８(ａ)参照)、第２姿勢にある両可動部材６０,６０が互いに離間するように広がって、対応する側の支持部材５６の下側まで延在するようになっている(図１３参照)。ここで、可動部材６０は、下部が左右に二股に分かれた形状で形成され、対応の支持部材５６よりも遠い側に延在する第１分岐片６０ａが、該支持部材５６に近い側に延在する第２分岐片６０ｂと比べて大きく形成されている。すなわち、実施例の可動部材６０は、第１分岐片６０ａ側を第２分岐片６０ｂ側よりも重くして、第１分岐片６０ａ側に重心があるよう形成される。そして、可動部材６０は、支持部材５６に設けられた規制部６４やその他の部材に当てることなく支軸６１から吊り下げた自然状態において、支軸６１を通る鉛直ラインに沿って第１分岐片６０ａが延在すると共に、この第１分岐片６０ａに対して第２分岐片６０ｂが斜め下方へ向けて延在するようになっている。なお、可動部材６０は、前記下降位置での第２姿勢において、規制部６４やその他の部材から離れて、前記自然状態になっている(図１３(ｂ)および図１５参照)。可動部材６０は、第２姿勢から第１姿勢へ向かうにつれて、第１分岐片６０ａが支軸６１を通る鉛直ラインから外れるように変位して、第１姿勢において該鉛直ラインから第１分岐片６０ａが外れて、該鉛直ラインに第２分岐片６０ｂがかかっている(図８(ａ)参照)。実施例の可動部材６０は、規制部６４に対して当接する支持部材５６側の側縁が、揺動中心側から第２分岐片６０ｂの延出端(可動部材６０の揺動端)側にかけて直線的に形成されて、当接面が湾曲した規制部６４に対する可動部材６０の摺動負荷を低減している。
【００３９】
(規制部)
前記規制部６４は、上部位置から下部位置へ向けた連係部材５８の変位の所定範囲に亘って可動部材６０の第１姿勢から第２姿勢へ向けた揺動軌跡に重なるように設けられる。また、規制部６４は、連係部材５８の上部位置で可動部材６０を第１姿勢で保持するように当接すると共に、連係部材５８の下部位置で可動部材６０の第２姿勢を許容するよう構成される。規制部６４は、少なくとも連係部材５８の上部位置で可動部材６０に当接すると共に、上部位置から下部位置へ向けた連係部材５８の変位の前記所定範囲に亘って可動部材６０に当接する。ここで、規制部６４は、連係部材５８の上部位置および下部位置の間の全範囲に亘って可動部材６０に当接してもよいが、実施例では、連係部材５８が上部位置から下部位置に至る手前で、可動部材６０の第１姿勢から第２姿勢へ向けた揺動軌跡から規制部６４が外れるようになっている。すなわち、実施例では、連係部材５８の上部位置と下部位置との変位距離よりも前記所定範囲が狭く設定される。そして、第１可動演出手段Ｋ１は、連係部材５８の前記第１作動範囲において、前述の如く連係部材５８と支持部材５６との相対的な位置関係が変化しないから、可動部材６０と規制部６４との相対的な位置関係が保たれて、連係部材５８の上下変位につれて可動部材６０が上下変位するものの、該可動部材６０が第１姿勢で保持される。
【００４０】
前記第１可動演出手段Ｋ１は、連係部材５８の第２作動範囲において前述の如く連係部材５８と支持部材５６との相対的な位置関係が変化するから、該第２作動範囲のうちの規制部６４が可動部材６０に当接する前記所定範囲において、連係部材５８の下降につれて規制部６４の当接部位が可動部材６０の揺動端側から揺動中心側にずれて、該可動部材６０の第１姿勢から第２姿勢へ向けた姿勢変位を許容するよう構成される。ここで、実施例では、連係部材５８が下降位置に至る手前で、規制部６４と可動部材６０との当接が解除されて、下降位置に至る前に可動部材６０が第２姿勢になると共に、可動部材６０が第２姿勢で僅かな距離下降するようになっている。また、第１可動演出手段Ｋ１は、前記第２作動範囲での連係部材５８の上昇につれて、規制部６４の当接部位が可動部材６０の揺動中心側から揺動端側にずれて、可動部材６０が第２姿勢から第１姿勢へ向けて押されるよう構成される。実施例では、連係部材５８が下降位置から上昇位置に向かう僅かな範囲で、規制部６４から可動部材６０が離れているので、第２姿勢のまま可動部材６０が下降位置から僅かな範囲上昇した後に、可動部材６０が規制部６４に当接して第２姿勢から第１姿勢へ向けて姿勢変位される。図１８に示すように、可動部材６０は、前記第２作動範囲において規制部６４との当接により規制されたもとで上下変位につれて徐々に姿勢変位して、例えば作動範囲のどこか一点で瞬時に姿勢が切り替わるものではない。
【００４１】
両可動部材６０,６０は、連係部材５８の第１作動範囲において、両支持部材５６,５６の規制部６４,６４の間に左右外側から挟まれて、互いに近づいた第１姿勢で保持されており、ベース本体４２の内側に左右の幅が小さくまとまった状態で収容される(図８(ａ)参照)。すなわち、可動演出装置４０は、初期状態に対応した上昇位置で両可動部材６０が第１姿勢に保持されてベース本体４２の内側に収容され、連係部材５８が第１作動範囲で上下変位する初期状態および中間状態の間において(図４,図８(ａ)および図９,図１２(ａ)参照)、両可動部材６０,６０が第１姿勢を保ったままベース本体４２の下端から画像表示部１７ａの前側に出没するよう構成される。また、両可動部材６０,６０は、連係部材５８の第２作動範囲において、連係部材５８の下降につれてベース本体４２の下縁から下方へ延出するに伴って両支持部材５６,５６の規制部６４,６４の間から下方に外れることで、互いに離間するように左右に拡開して、左右の幅が大きく広がる。そして、両可動部材６０,６０は、連係部材５８の第２作動範囲において、連係部材５８の上昇につれてベース本体４２の内側に収容されるに伴って両支持部材５６,５６の規制部６４,６４の間に挟まれることで、互いに近接するように中央部に向けて縮まって、左右の幅が小さくなる。すなわち、可動演出装置４０は、連係部材５８が第２作動範囲で上下変位する中間状態および最大動作状態の間において(図９,図１２(ａ)および図１３,図１５参照)、両可動部材６０,６０が姿勢変位しつつベース本体４２の下端から画像表示部１７ａの前側に出没するよう構成される。
【００４２】
(駆動機構)
前記駆動機構ＤＭは、ステッピングモータなどの正逆駆動可能な駆動モータＭと、この駆動モータＭの出力軸に固定された出力歯車６６に噛み合った作動歯車(回転体)６８と、作動歯車６８および連係部材５８の間に設けられ、連係部材５８を上昇位置および下降位置の間で移動させる前記作動部材６２とから構成される(図１６および図１７参照)。駆動モータＭは、第１後ベース４４の右側部に該第１後ベース４４の後壁から間をあけて設置されたモータ設置板７０の前面に、出力軸を後方を向けた姿勢で取り付けられ、該後壁とモータ設置板７０との間に臨む出力軸の先端に出力歯車６６が固定されている。作動歯車６８は、モータ設置板７０の後面に、前記出力歯車に隣り合うように回転可能に軸支され、第１後ベース４４の後壁に該作動歯車６８に合わせて開設された作動歯車開口４４ｃを介して該第１後ベース４４の後側に臨んでいる(図５(ｂ)参照)。また、作動歯車６８における作動歯車開口４４ｃを介して第１後ベース４４の後側に臨む後面には、回転中心より半径方向外側にずれた偏心位置に、円柱状の作動軸６９が後方へ突出するように形成されている。そして、作動歯車６８は、駆動モータにより正逆回転される。
【００４３】
前記作動部材６２は、長細い板状部材であり、長手方向の一端部が第１後ベース４４に対して前後方向の軸周りに揺動可能に軸支されると共に、長手方向の他端部が連係部材５８に接続される(図５(ｂ)参照)。作動部材６２の一端部には、円形状の作動支持軸孔６２ａが形成され、この作動支持軸孔６２ａを、第１後ベース４４の後面に後方へ突出形成された円柱状の作動支持軸４４ｄに嵌め合わせて、作動部材６２が第１後ベース４４の後側に配設される。ここで、作動支持軸４４ｄは、第１後ベース４４の後面右側の角隅部に設けられて、作動歯車６８の作動軸６９を挟んで連係部材５８における作動部材６２との接続部位と反対側(作動軸６９よりも外側)に配置される。また、作動部材６２の他端部には、該作動部材６２の長手に沿って長手が延在する長孔形状の連係溝６２ｂが形成され、この連係溝６２ｂを、第１後ベース４４の後側に突出する連係部材５８の連係軸５８ａに係合することで、作動部材６２と連係部材５８とが接続される。連係軸５８ａは、連係部材５８の後面上部中央に後方へ突出するように形成されて、第１後ベース４４の左右方向中央部に形成された連係軸開口４４ｅを挿通して、第１後ベース４４の後側に突出するようになっている。連係軸開口４４ｅは、上下方向に長手が延在する長孔形状に形成され、連係部材５８の上昇位置および下降位置の間の上下変位に伴う連係軸５８ａの上下変位を許容する上下長さで形成される。
【００４４】
図５(ｂ)に示すように、前記作動部材６２には、一端部および他端部の間に作動溝６２ｃが設けられ、前記作動歯車６８の作動軸６９が作動溝６２ｃに係合するようになっている。作動溝６２ｃは、作動部材６２の長手に沿って長手が延在する長孔形状に形成され、作動軸６９に合わせて作動部材６２の他端部側に設けられる。作動部材６２は、駆動モータＭによって回転する作動歯車６８に伴って回転変位する作動軸６９に、作動溝６２ｃの長手辺が引っ掛かって該作動軸６９の上下方向の変位成分に応じて作動支持軸４４ｄを中心に揺動される。この際に、作動溝６２ｃの延在長さによって、作動軸６９の左右方向の変位が許容されて、作動軸６９の回動が作動部材６２の傾動動作に変換される。そして、作動部材６２は、作動支持軸４４ｄを中心に揺動するのに伴って、連係溝６２ｂの長手辺に引っ掛かった連係軸５８ａを上下方向に移動し、これにより連係部材５８が上下方向に変位される。なお、作動支持軸４４ｄを中心に揺動する作動部材６２の連係溝６２ｂと連係軸５８ａとの左右方向のずれは、長孔形状の連係溝６２ｂで許容される。このように、駆動モータＭの回転駆動が、作動歯車６８および作動部材６２によって連係部材５８を上下変位させるように変換されて伝達される。作動部材６２は、第１後ベース４４と第２後ベース４６との間に挟まれて前後方向の移動が規制され(図６参照)、作動支持軸孔６２ａに対する作動支持軸４４ｄの嵌合、作動溝６２ｃに対する作動軸６９の係合および連係溝６２ｂに対する連係軸５８ａの係合が保たれている。
【００４５】
前記駆動機構ＤＭは、駆動モータＭの正駆動により作動歯車６８を正回転させて、作動軸６９を作動歯車６８の上部から下部に変位することで、作動部材６２を下方へ傾動して連係部材５８を上昇位置から下降位置へ向けて移動する。また、駆動機構ＤＭは、駆動モータＭの逆駆動により作動歯車６８を逆回転させて、作動軸６９を作動歯車６８の下部から上部に変位することで、作動部材６２を上方へ傾動して連係部材５８を下降位置から上昇位置へ向けて移動する。そして、駆動機構ＤＭは、作動軸６９が作動歯車６８における回転中心の直上または該直上よりも作動部材６２の一端部側または他端部側に偏倚した初期位置において、作動歯車６８の逆回転に伴う作動軸６９の変位を作動溝６２ｃによって規制する一方、作動歯車６８の正回転に伴う作動軸６９の変位を作動溝６２ｃによって許容するよう構成される。実施例の駆動機構ＤＭでは、作動軸６９が初期位置において作動歯車６８の回転中心の直上にあり、作動部材６２は、初期位置にある作動軸６９に支持されて、作動支持軸４４ｄから左右方向に延びて連係部材５８を上昇位置とする姿勢が保持される(図５(ｂ)参照)。また、駆動モータＭの正駆動による作動歯車６８の正回転に伴って作動軸６９が初期位置から作動部材６２の他端部側(実施例では反時計回り)に回動変位し、これにより作動軸６９が下降することで、作動部材６２は、該作動部材６２の他端部側が下降するように姿勢変位される(図９(ｂ)参照)。作動軸６９が前記初期位置よりも下側にある動作位置において、作動部材６２が作動支持軸４４ｄから内側へ向かうにつれて下方傾斜して、連係部材５８の下降位置を許容する姿勢となる(図１３(ｂ)参照)。そして、駆動モータＭの逆駆動による作動歯車６８の逆回転に伴って作動軸６９が前記初期位置よりも下側にある動作位置から作動部材６２の一端部側(実施例では時計回り)に回動変位するにつれて、作動部材６２は、該作動部材６２の他端部が上昇するように姿勢変位される。
【００４６】
前記初期位置において、作動溝６２ｃにおける作動軸６９よりも作動部材６２の一端部側は、作動歯車６８の回転に伴う作動軸６９の左右方向の変位距離よりも溝長さが短くなるように設定されるか(実施例：図５(ｂ)参照)、または作動溝６２ｃにおける作動部材６２の一端部側の開口端に作動軸６９が当接するように設定される。すなわち、初期位置にある作動軸６９は、不正な方向である作動歯車６８の逆回転方向に移動しようとしても作動溝６２ｃの開口端に引っ掛かって僅かな距離しか回転変位できないか、または全く回転変位できないようになっている。また、前記初期位置において、作動溝６２ｃにおける作動軸６９よりも作動部材６２の他端部側は、作動歯車６８の回転に伴う作動軸６９の左右方向の変位距離と溝長さが同じか、または該変位成分よりも溝長さが長くなるように設定される。従って、初期位置にある作動軸６９は、駆動モータＭの正駆動による作動歯車６８の正回転方向の回転時に、作動溝６２ｃの開口端に引っ掛かることなく、前記動作位置へ向けた所定の回動変位が許容される。このように、駆動機構ＤＭには、初期位置にある作動軸６９と作動溝６２ｃとの関係により、駆動モータの正常な駆動によらない作動部材６２の傾動を防ぐロック構造が構成され、このロック構造によって連係部材５８を介して作動部材６２にかかる可動演出手段Ｋ１,Ｋ２の荷重を適切に支持し得るようになっている。
【００４７】
(原位置検知手段)
前記可動演出装置４０は、連係部材５８の上部に配設された検知片７２と、第１後ベース４４に配設され、検知片７２の有無を検知するセンサ７４とからなる原位置検知手段を備えている(図８(ａ),図１２(ａ)および図１５参照)。原位置検知手段は、センサ７４としてフォトセンサが用いられ、連係部材５８の上昇位置で検知片７２がセンサ７４における発光部と受光部との間に位置して該センサ７４に検知され、連係部材５８が上昇位置から外れると、検知片７２がセンサ７４から外れて非検知となる。可動演出装置４０は、原位置検知手段の検知状態を基準として駆動モータＭが停止等の駆動制御され、作動軸６９が初期位置で停止されて、初期位置の作動軸６９に支持されて略水平姿勢になった作動部材６２によって、連係部材５８が上昇位置に保持される。ここで、第１可動演出手段Ｋ１は、可動部材６０がベース本体４２に収容される連係部材５８の上昇位置で、動作演出を行わないときに待機するように構成される。また、第１可動演出手段Ｋ１は、遊技演出に応じて図示しない制御手段によって駆動モータＭが駆動制御されて、作動部材６２により連係部材５８が上昇位置および下降位置の間で上下変位されるのに伴って両可動部材６０,６０が動作される。
【００４８】
(第２可動演出手段)
図６,図９(ａ),図１０および図１９(ｂ)に示すように、前記第２可動演出手段Ｋ２は、ベース本体４２に沿って移動しつつベース本体４２に対して近接・離間するように動作する可動演出体７６を少なくとも備えている。実施例では、可動演出体７６に加えて該可動演出体７６に連動して動作する複数の可動装飾体７８,８０,８２を備えている。実施例の可動演出体７６は、前記可動部材６０のベース本体４２に対する出没方向と同じ上下方向に該ベース本体４２の前面に沿って移動しつつ、ベース本体４２の前面に対して近接・離間する方向である前後方向に進退するようになっている。ここで、第２可動演出手段Ｋ２は、第１作動範囲での可動部材６０の下降に連動して、可動演出体７６が下降しつつ前進すると共に、第１作動範囲での可動部材６０の上昇に連動して、可動演出体７６が上昇しつつ後退するように構成される。第２可動演出手段Ｋ２は、前記可動演出体７６を支持して該可動演出体７６に所定の動作を行わせる連係機構として、前べース組４８,５０に往復移動可能に配設されたスライド部材８４と、このスライド部材８４に揺動されるリンク部材８６とを備えている(図６,図１０,図１６および図１７参照)。
【００４９】
(スライド部材)
図８(ｂ)および図１２(ｂ)に示すように、前記スライド部材８４は、上下方向に長手が延在する細長い板状に形成されている。スライド部材８４は、第２前ベース５０の左右方向中央部に上下に延在するよう形成されたスライド溝５０ａに係合して左右方向の移動が規制されると共に、第１前ベース４８と第２前ベース５０との間に挟まれて前後方向の移動が規制された状態で保持される(図７および図１１参照)。スライド部材８４は、スライド溝５０ａの長手辺に沿って上下方向にスライド移動可能に構成され、スライド溝５０ａの上部側に位置する第１位置(図８(ｂ)参照)と、スライド溝５０ａの下部側に位置して前記第１位置よりも下がった第２位置(図１２(ｂ)参照)との間で往復移動するようになっている。スライド部材８４は、第１位置において、前ベース組４８,５０の設置スペースに下端部を除く大部分が収容される(図６参照)。また、スライド部材８４は、第２位置において、前ベース組４８,５０の下縁から下方へ突出するようになっている(図１０参照)。ここで、スライド部材８４における前ベース組４８,５０から突出した部分は、該スライド部材８４の前側に配設された可動演出体７６によって機前側から視認できないように隠される。
【００５０】
前記スライド部材８４は、第１作動範囲にある連係部材５８に係合して、第１作動範囲での連係部材５８の上下変位に連動して第１位置と第２位置との間で上下変位する一方(図６および図１０参照)、第２作動範囲にある連係部材５８から分離して、第２作動範囲での連係部材５８の上下変位時に、第２位置において停止した状態で維持される(図１４参照)。具体的には、スライド部材８４は、後面の上下方向中央部に後方に突出するよう形成された連係突片８５を有し、この連係突片８５が第１前ベース４８の左右方向略中央部に上下に延在するように形成された連係開口４８ａを介して第１前ベース４８の後側に突出している。なお、連係開口４８ａは、連係突片８５の上下変位によりスライド部材８４の第１位置と第２位置との間の上下変位が可能な上下寸法で形成される。これに対して、連係部材５８の前面下部には、左右方向略中央に前方に突出形成された連係段部５９が設けられ、この連係段部５９の上側にスライド部材８４の連係突片８５が重なるようになっている。スライド部材８４は、上昇位置にある連係部材５８の連係段部５９に連係突片８５が支持されて第１位置で保持され(図６参照)、該スライド部材８４および該スライド部材８４に配設された可動演出体７６の重さによって、上昇位置にある連係部材５８が中間位置へ向けて下降するのに追従して下降する。また、スライド部材８４は、連係部材５８が中間位置から上昇位置へ向けて上昇するにつれて上昇する連係段部５９に連係突片８５が支持されて、連係部材５８の上昇に連動して上昇する。更に、スライド部材８４は、第２位置において連係突片８５が連係開口４８ａの下縁に引っ掛かって下方変位が規制されることで、中間位置を越えて下降位置へ向けて下降する連係部材５８の連係段部５９から分離し(図１４参照)、連係部材５８の第２作動範囲の上下変位とは連動しないようになっている。
【００５１】
(リンク部材)
前記リンク部材８６は、第２前ベース５０の前面左右方向略中央の上部に前方へ突出するように形成された支持部としての固定装飾体８８との接続部位８６ａを支点として揺動可能に配設され、ベース本体４２の前側に設置されている(図６(ａ)および図１０参照)。実施例のリンク部材８６は、略「Ｌ」字状に折れ曲がった棒状の部材であり、一方の片部が他方の片部よりも長く形成されると共に、長手の一方の片部が先端に向かうにつれて他方の片部の先端側に湾曲している。リンク部材８６は、一端(実施例では一方の片部の先端)が、固定装飾体８８における前側(突出側)に偏倚した部位の下面側に、左右方向の軸周りに揺動可能に接続され、この接続部位８６ａを支点として他端側(実施例では他方の片部の先端)となる揺動端部８６ｂが、ベース本体４２の前面に対して近接・離間する方向へ変位するよう構成される。リンク部材８６における前記接続部位８６ａと揺動端部８６ｂとの間には、スライド部材８４の上端部前面に前方に突出するように形成されたリンク突片９０が揺動軸８６ｃを介して接続され、スライド部材８４の上下変位に連動してリンク部材８６が揺動される。ここで、第２前ベース５０の左右方向略中央部には、上下方向に延在するリンク開口５０ｂが形成され、このリンク開口５０ｂを介してリンク突片９０がベース本体４２の前側に臨んでいる。なお、スライド部材８４の上下変位に伴うリンク突片９０の上下変位は、リンク開口５０ｂにより許容される。また、リンク突片９０には、前後方向に長手が延在する長孔からなるリンク溝９０ａが設けられ、このリンク溝９０ａに前記揺動軸８６ｃを係合させて、リンク部材８６における前記一方の片部がリンク突片９０に接続される。
【００５２】
図６に示すように、リンク部材８６は、スライド部材８４の第１位置において、前記接続部位８６ａの後側に揺動端部８６ｂが前後方向に略揃うように保持されて、このときリンク部材８６は、揺動端部８６ｂがベース本体４２の前面に近接する近接姿勢になる。また図１０に示すように、リンク部材８６は、スライド部材８４の第２位置において、前記接続部位８６ａの下側に揺動端部８６ｂが上下方向に略揃うように保持されて、このときリンク部材８６は、揺動端部８６ｂがベース本体４２の前面から離間する離間姿勢になる。このように、リンク部材８６は、スライド部材８４の第１位置から第２位置への下降に連動して、前記接続部位８６ａを支点として揺動端部８６ｂがスライド部材８４の変位方向と同じ方向(下方)に移動しつつベース本体４２から離れる方向(前側)に変位するよう回動して、近接姿勢から離間姿勢へ向けて姿勢変位する。また、リンク部材８６は、スライド部材８４の第２位置から第１位置への上昇に連動して、前記接続部位８６ａを支点として揺動端部８６ｂがスライド部材８４の変位方向と同じ方向(上方)に移動しつつベース本体４２に近づく方向(後側)に変位するよう回動して、離間姿勢から近接姿勢へ向けて姿勢変位する。
【００５３】
前記固定装飾体８８は、ベース本体４２の前面から離間するにつれて下方に湾曲するように形成される(図６参照)。また、固定装飾体８８は、機前側から視認可能な外面が、可動装飾体７８,８０,８２と共通する意匠形状で形成される。そして、固定装飾体８８は、前記初期状態において隣り合う可動装飾体８０,８２と合わさって一体的な集合装飾体をなし、この集合装飾体の上部を構成する(図４および図１９(ａ)参照)。
【００５４】
(可動演出体)
前記可動演出体７６は、リンク部材８６の揺動端部８６ｂに支持されると共に、スライド部材８４に支持されて、ベース本体４２の前側に配設される(図６参照)。具体的には、可動演出体７６は、その上部(スライド部材８４の第１位置側)がリンク部材８６の揺動端部８６ｂに左右方向の軸周りに回動可能に接続される。また、可動演出体７６は、その下部(スライド部材８４の第２位置側)を、スライド部材８４の下端部に前方に突出するよう設けられた接続突片９１に形成されたガイド溝(ガイド部)９２に接続軸９３を介して係合し、該ガイド溝９２に沿った移動および左右方向の軸周りの回動が可能に接続される。なお、第２前ベース５０の左右方向略中央部には、前記リンク開口５０ｂの下側に位置して上下方向に延在する接続開口５０ｃが形成され、この接続開口５０ｃを介して接続突片９１がベース本体４２の前側に臨み、スライド部材８４の上下変位に伴う接続突片９１の上下変位が接続開口５０ｃにより許容される。可動演出体７６は、スライド部材８４の往復移動方向(上下方向)に離間したリンク部材８６の揺動端部８６ｂとガイド溝９２によって姿勢変位可能に支持される。そして、可動演出体７６は、スライド部材８４の変位に伴うリンク部材８６の揺動端部８６ｂの揺動に連動して動作すると共に、接続軸９３がガイド溝９２に沿って案内されて、その姿勢が規定される。
【００５５】
(ガイド溝)
図６,図１０および図１４に示すように、前記ガイド溝９２は、ベース本体４２に対して近接・離間する方向に延在する第１案内部位９２ａを有し、実施例の第１案内部位９２ａは、ベース本体４２の前面から前方に離間するにつれてスライド部材８４の第１位置側(上側)に傾斜するように延在している。また、ガイド溝９２には、スライド部材８４の往復移動方向に沿った方向に延在する第２案内部位９２ｂが、前記第１案内部位９２ａにおけるベース本体４２に近接する側の端部に連続して形成される。ここで、第２案内部位９２ｂは、第１案内部位９２ａのベース本体４２に近接する側の端部から下方(スライド部材８４が第１位置から第２位置へ向かう向き)に延在している。
【００５６】
前記可動演出体７６は、スライド部材８４の第１位置において、近接姿勢にあるリンク部材８６および該スライド部材８４のガイド溝９２に支持されて、ベース本体４２の前面に近づくと共にベース本体４２の前側に重なった退避姿勢に保持される(図６参照)。退避姿勢にある可動演出体７６は、ガイド溝９２における第１案内部位９２ａのベース本体４２側の端部に接続軸９３が位置し、リンク部材８６の揺動端部８６ｂと接続軸９３とが上下方向に揃っている。可動演出体７６は、スライド部材８４の第１位置から第２位置への下降につれて下方(第２位置側)に移動しつつ、リンク部材８６の姿勢変位に伴ってガイド溝９２に沿ってベース本体４２から離れるように姿勢変位して、スライド部材８４の第２位置において前記退避姿勢よりも突き出た突出姿勢で保持される(図１０参照)。突出姿勢にある可動演出体７６は、離間姿勢にあるリンク部材８６および該スライド部材８４のガイド溝９２に支持されて、ベース本体４２の前面から遠ざかると共にベース本体４２の下縁から下方に延出するように下方変位した状態になる。また、突出姿勢にある可動演出体７６は、ガイド溝９２における第１案内部位９２ａのベース本体４２から離間する側の端部に接続軸９３が位置し、実施例では、リンク部材８６の揺動端部８６ｂよりも接続軸９３が後側に位置して、可動演出体７６全体として上部が前側に傾いた傾斜状態になっている。そして、可動演出体７６は、スライド部材８４の第２位置から第１位置への上昇につれて上方(第１位置側)に移動しつつ、リンク部材８６の姿勢変位に伴ってガイド溝９２に沿ってベース本体４２に近づくように姿勢変位して、前記退避姿勢に戻るようになっている。
【００５７】
このように、可動演出体７６は、ベース本体４２に対して近接・離間する方向に延在するガイド溝９２の第１案内部位９２ａに案内されて、リンク部材８６の揺動端部８６ｂにおけるベース本体４２に対する近接・離間する方向の変位に伴って、該リンク部材８６の揺動端部８６ｂに接続した上部だけでなく下部もベース本体４２に対して近接・離間する方向の変位が許容される。また、リンク部材８６の近接姿勢と離間姿勢との間の姿勢変位に伴う揺動端部８６ｂの上下方向の変位は、ガイド溝９２の第２案内部位９２ｂにより許容される。なお、可動演出装置４０は、スライド部材８４の第１位置で前記初期状態にあり、スライド部材８４の第２位置で前記中間状態にあり、初期状態と中間状態との間で可動演出体７６が姿勢変位する。
【００５８】
(補助装飾体)
前記可動演出体７６の下部には、ベース本体４２の前面から前方に離間するにつれて上方へ向けて僅かに湾曲するように延在する板状の補助装飾体９４が配設されている(図６および図１６参照)。補助装飾体９４は、機前側から視認可能な外面が、可動装飾体７８,８０,８２と共通する意匠形状で形成されている。そして、補助装飾体９４は、可動演出体７６の退避姿勢において、隣り合う可動装飾体７８,７８と合わさって一体的な集合装飾体を構成するようになっている(図４および図１９(ａ)参照)。ここで、補助装飾体９４は、前記集合装飾体の下部を構成している。また、補助装飾体９４は、突出姿勢において前傾する可動演出体７６に伴って前記退避姿勢での姿勢よりも傾いている。
【００５９】
(演出体発光手段)
図６に示すように、前記可動演出体７６は、ＬＥＤ等の発光体９６ａが実装された基板９６ｂからなる演出体発光手段９６と、この演出発光手段９６の前側を覆うように設けられて、光を透過可能な演出体カバー９８とを備え、演出体発光手段９６から照射した光によって演出体カバー９８を発光演出し得るよう構成される。演出体カバー９８は、可動演出体７６の機前側から視認可能な意匠面を構成し、実施例では半球状の本体部分の外周および中央に所定の装飾が施されている。また、演出体カバー９８は、ダイヤモンドカットの如く多数の面を組み合わせた光拡散加工が施されており、演出体発光手段９６から照射した光による該演出体カバー９８全体の発光が図られている。演出発光手段９６の基板９６ｂに繋がる配線としては、フラットケーブル１００が用いられている(図６および図１０参照)。このフラットケーブル１００は、可動演出体７６の後側から第２前ベース５０のリンク開口５０ｂ、スライド部材８４における連係突片８５の上側に形成された配線開口８４ａ(図)および第１前ベース４８の連係開口４８ａを介して第１前ベース４８の後側に取り回され、第１前ベース４８の後面に配設された中継基板１０１に接続される。
【００６０】
(集合装飾体)
前記第２可動演出手段Ｋ２は、スライド部材８４に連動して動作し、該スライド部材８４の第１位置において可動演出体７６の退避姿勢から突出姿勢への姿勢変位方向前側を覆う複数の可動装飾体７８,８０,８２を備えている(図４、図９および図１９参照)。また、第２可動演出手段Ｋ２は、退避姿勢にある可動演出体７６が、該可動演出体７６を基準に集合した複数の可動装飾体７８,８０,８２と、固定装飾体８８および補助装飾体９４とによって画成されるスペースに収容される(図６参照)。すなわち、第２可動演出手段Ｋ２は、可動演出体７６が退避姿勢にあるときに、複数の可動装飾体７８,８０,８２、固定装飾体８８および補助装飾体９４が集合して、可動演出体７６を覆う１つの集合装飾体を構成するようになっている(図４および図１９参照)。実施例では、退避姿勢にある可動演出体７６が、ベース本体４２の前面から前側へ膨らんだ半球状の集合装飾体に隠されて機前側から見えなくなっている。複数の可動装飾体７８,８０,８２は、可動演出体７６の退避姿勢から突出姿勢へ向けた姿勢変位につれて、該可動演出体７６を基準に互いに離間するように動作し、可動演出体７６は、退避姿勢から突出姿勢へ向かうにつれて該可動演出体７６の姿勢変位方向前側から退避する可動装飾体７８,８０,８２の裏側より現れるよう構成される(図９(ａ)および図１９(ｂ)参照)。また、複数の可動装飾体７８,８０,８２は、可動演出体７６の突出姿勢から退避姿勢へ向けた姿勢変位につれて、該可動演出体７６を基準に互いに集合するように動作し、可動演出体７６は、突出姿勢から退避姿勢へ向かうにつれて該可動演出体７６の前側に被さる可動装飾体７８,８０,８２の裏側に隠される(図４および図１９(ａ)参照)。ここで、可動演出装置４０では、初期状態において集合装飾体が構成され、初期状態と中間状態との間で可動装飾体７８,８０,８２が集合・離散するように動作し、中間状態と最大動作状態との間において可動装飾体７８,８０,８２が互いに離間した展開姿勢で保たれる。
【００６１】
実施例の第２可動演出手段Ｋ２は、可動演出体７６を左右に挟むように配設され、集合装飾体の下部を構成する一対の第１可動装飾体(第１の可動装飾体)７８,７８と、可動演出体７６を左右に挟むように第１可動装飾体７８の上側に配設され、集合装飾体の中間部を構成する一対の第２可動装飾体(第２の可動装飾体)８０,８０と、固定装飾体８８を左右に挟むように配設され、集合装飾体の上部を構成する一対の第３可動装飾体(第３の可動装飾体)８２,８２とを備えている。両第１可動装飾体７８,７８は、可動演出体７６を挟んで左右対称な形状であると共に、該第１可動装飾体７８を動作させる機構についても可動演出体７６を挟んで左右対称な構成となっている。同様に、両第２可動装飾体８０,８０は、可動演出体７６を挟んで左右対称な形状であると共に、該第２可動装飾体８０を動作させる機構についても可動演出体７６を挟んで左右対称な構成となっている。更に、両第３可動装飾体８２,８２は、可動演出体７６を挟んで左右対称な形状になっている。このように、左右の可動装飾体７８,８０,８２および該可動装飾体７８,８０,８２を動作させる機構は、配置が対称であるものの同一構成であるので、可動装飾体７８,８０,８２および該可動装飾体７８,８０,８２を動作させる機構については、一方(右側)の構成について基本的に説明する。
【００６２】
(第１可動装飾体)
前記スライド部材８４の両側縁上部には、スライド歯部８４ｂが設けられている(図８(ｂ)参照)。スライド部材８４の横側には、第２前ベース５０の後面に突出形成された回動軸５０ｄに、前後の軸周りに回動可能に軸支されて回動アーム(回動部材)１０２が配設され、軸支部位より内側に向けて延在する回動アーム１０２の揺動端に形成された回動歯部１０２ａが、前記スライド歯部８４ｂに噛み合っている。すなわち、回動アーム１０２は、スライド部材８４の上下変位に連動して回動し、スライド部材８４の第１位置において該回動アーム１０２が第１回動状態になり(図８(ｂ)参照)、スライド部材８４の第２位置において前記第１回動状態よりも揺動端側が下方傾斜した第２回動状態となる(図１２(ｂ)参照)。なお、回動アーム１０２は、前ベース組４８,５０の設置スペースに収容されて前後方向に位置決めされている。回動アーム１０２における軸支部分側に偏倚した部位に、前方に突出する回動突部１０２ｂが設けられ、第２前ベース５０に形成された回動開口５０ｅを介して回動突部１０２ｂがベース本体４２の前側に突出している(図７(ａ)および図１１参照)。回動開口５０ｅは、回動アーム１０２の第１回動状態および第２回動状態の間の回動変位に伴う回動突部１０２ｂの変位を許容する大きさで形成される。回動突部１０２ｂは、回動アーム１０２が第１回動状態から第２回動状態に向かうにつれて外側方に向けて斜め下側に回動変位して可動演出体７６側から離れる一方、回動アーム１０２が第２回動状態から第１回動状態に向かうにつれて内側方に向けて斜め上側に回動変位して可動演出体７６側に近づくようになっている。第１可動装飾体７８は、可動演出体７６側が凹になるように湾曲形成された板状部材であり、その後縁部側部が、ベース本体４２の前側に突出する回動突部１０２ｂの前端部に対してベース本体４２の前面に沿った軸周りに回動可能に軸支される。また、第１可動装飾体７８には、後縁からベース本体側(後方)に突出する軸部７９が設けられ、この軸部７９が第２前ベース５０に形成された軸開口５０ｆに挿入されている(図７(ｂ)および図１１参照)。すなわち、第１可動装飾体７８は、回動アーム１０２の回動につれて、軸開口５０ｆに係合する軸部７９を支点として回動突部１０２ｂとの接続部位を中心に揺動するよう構成される。そして、第１可動装飾体７８は、スライド部材８４の第１位置に対応した回動アーム１０２の第１回動状態で可動演出体７６の退避姿勢から突出姿勢への姿勢変位方向前側に位置すると共に、該スライド部材８４の第２位置に対応した回動アーム１０２の第２回動状態で可動演出体７６の退避姿勢から突出姿勢への姿勢変位方向前側から退避するよう構成される。
【００６３】
前記第１可動装飾体７８は、回動突部１０２ｂとの接続部位を中心に前端部が可動演出体７６から離れる方向に倒れようとするように重心が設定される。第１可動装飾体７８は、前記第１回動状態において、回動突部１０２ｂとの接続部位が軸開口５０ｆよりも可動演出体７６側に位置し、自重により前記接続部位を中心に変位するのが軸開口５０ｆに軸部７９が引っ掛かることで規制されて、可動演出体７６側に近づくように倒れた被覆姿勢で保持される(図７(ｂ)参照)。また、第１可動装飾体７８は、前記第２回動状態において、回動突部１０２ｂとの接続部位が軸開口５０ｆよりも可動演出体７６から離れた側に位置し、自重により軸部７９を支点として前記接続部位を中心に変位するのが軸開口５０ｆにより許容され、可動演出体７６側から離れるように倒れた展開姿勢で保持される(図１１参照)。ここで、第１可動装飾体７８は、軸部７９が前後方向になる姿勢を挟んで、被覆姿勢と展開姿勢とで反対側に傾くようになっている。そして、第１可動装飾体７８は、被覆姿勢において可動演出体７６の前側を覆って他の可動装飾体８０,８２と共通する意匠が施された意匠面が機前側に臨み、展開姿勢において可動演出体７６の前側から退避するように横側に開いて、前記被覆姿勢において可動演出体７６に臨んでいた裏面が機前側から視認可能になる。すなわち、第１可動装飾体７８は、被覆姿勢と展開姿勢との間で姿勢変位するだけでなく、被覆姿勢と展開姿勢とで機前側から見える面が切り替わるようになっている。
【００６４】
前記第１可動装飾体７８は、回動突部１０２ｂとの接続部位を中心とした揺動だけでなく、回動アーム１０２の回動に伴って全体として可動演出体７６に対して近接・離間するように回動するようになっている。すなわち、第１可動装飾体７８は、回動アーム１０２が第１回動状態から第２回動状態に向かうにれて可動演出体７６側から全体として離間しつつ該可動演出体７６から退避するように傾動して展開姿勢となり、回動アーム１０２が第２回動状態から第１回動状態に向かうにつれて可動演出体７６側に向けて全体として近接しつつ該可動演出体７６を覆うように傾動して被覆姿勢となる。
【００６５】
(第２可動装飾体)
前記第２可動装飾体８０は、回動アーム１０２の回動につれて回動する回動体１０４の前側に設けられている。回動体１０４は、第２前ベース５０に前後方向の軸周りに回動可能に支持されて、前ベース組４８,５０の設置スペースに収容される。回動体１０４は、回動アーム１０２の上側に配置され、回動アーム１０２の揺動基部に形成されたアーム歯部１０２ｃに噛み合う連動歯車１０６に、周縁に形成された連動歯部１０４ａが噛み合って、回動アーム１０２の回動に連動して回動するよう構成される(図８(ｂ)および図１２(ｂ)参照)。第２可動装飾体８０は、第２前ベース５０に形成された挿通開口５０ｇを介してベース本体４２の前側に臨む回動体１０４の前側に配設され、回動体１０４の回動につれて該回動体１０４を中心として回動変位するようになっている。第２可動装飾体８０は、可動演出体７６側が凹になるように湾曲形成された板状部材を本体とし、実施例では第１可動装飾体７８より幅狭に設定される。第２可動装飾体８０は、回動アーム１０２の第１回動状態に対応した回動体１０４の回動状態で、第１可動装飾体７８の上側に隣接して可動演出体７６の退避姿勢から突出姿勢への姿勢変位方向前側に位置する被覆姿勢(図４,図６,図７(ａ)および図(１９(ａ))参照)になると共に、回動アーム１０２の第２回動状態に対応した回動体１０４の回動状態で可動演出体７６の退避姿勢から突出姿勢への姿勢変位方向前側から退避する展開姿勢(図９〜図１１参照)になるように構成される。ここで、実施例の第２可動装飾体８０は、回動体１０４から内側に向けて延在する被覆姿勢から反時計回り(左側の第２可動装飾体８０であれば時計回り)に回動することで、可動演出体７６の横側に外れて回動体１０４から下方に延在する展開姿勢になり、展開姿勢から時計回り(左側の第２可動装飾体８０であれば反時計回り)に回動することで、被覆姿勢に戻される。なお、第２可動装飾体８０は、展開姿勢において先端部が可動演出体７６と第１可動装飾体７８の間に位置している。
【００６６】
(第３可動装飾体)
前記第３可動装飾体８２は、前記リンク部材８６における一方の片部から左右両側に延出する保持片８７の延出端に設けられる。第３可動装飾体８２は、リンク部材８６の揺動につれて揺動するように構成され、リンク部材８６の近接姿勢において、固定装飾体８８および被覆姿勢の第２可動装飾体８０の間に位置して、可動演出体７６の上側を覆う被覆姿勢となる(図４および図１９(ａ)参照)。また、第３可動装飾体８２は、リンク部材８６が近接姿勢より前方に突き出ると共に下方にずれた離間姿勢において、前端部が上方に傾くように傾動して、第２位置側にずれる可動演出体７６から相対的に離間した展開姿勢になる(図９参照)。第３可動装飾体８２は、被覆姿勢において他の可動装飾体７８,８０と共通する意匠が施された意匠面が機前側に臨み、展開姿勢において可動演出体７６から退避するように上側に開いて、前記被覆姿勢において可動演出体７６に臨んでいた裏面が機前側から視認可能になる。すなわち、第３可動装飾体８２は、被覆姿勢と展開姿勢との間で姿勢変位するだけでなく、被覆姿勢と展開姿勢とで機前側から見える面が切り替わるようになっている。
【００６７】
前記第２可動演出手段Ｋ２は、連係部材５８に連係したスライド部材８４の動きに対して、可動演出体７６および全ての可動装飾体７８,８０,８２が連動して動作するように構成される。すなわち、第２可動演出手段Ｋ２は、スライド部材８４の第１位置において、可動演出体７６が退避姿勢に保持されると共に、全ての可動装飾体７８,８０,８２が被覆姿勢に保持されて、可動演出体７６、固定装飾体８８および補助装飾体９４によって形成される半球状の集合装飾体の内側に可動演出体７６が隠された初期状態(第１状態)となる。また、第２可動演出手段Ｋ２は、スライド部材８４を第１位置から第２位置へ向けて変位すると、可動演出体７６が退避姿勢から突出姿勢に向けて姿勢変位すると共に、可動装飾体７８,８０,８２が被覆姿勢から展開姿勢に姿勢変位し、スライド部材８４の第２位置において、可動演出体７６が突出姿勢に保持されると共に、全ての可動装飾体７８,８０,８２が展開姿勢に保持されて、可動演出体７６が機前側から視認可能な中間状態(第２状態)となる。そして、第２可動演出手段Ｋ２は、スライド部材８４を第２位置から第１位置へ向けて変位すると、可動演出体７６が突出姿勢から退避姿勢に向けて姿勢変位すると共に、可動装飾体７８,８０,８２が展開姿勢から被覆姿勢に姿勢変位し、集合装飾体に可動演出体７６が隠された初期状態に戻る。第２可動演出手段Ｋ２では、可動演出体７６の退避姿勢から突出姿勢へ向けて姿勢変位させる方向に該可動演出体７６の自重がかかり、第１可動装飾体７８および第２可動装飾体８０の被覆姿勢から展開姿勢へ向けて姿勢変位させる方向に該第１可動装飾体７８および第２可動装飾体８０の自重がかかり、動作演出前の待機した状態から動作した状態に円滑に移り変わる。ここで、可動装飾体７８,８０,８２は、被覆姿勢で機前側に臨む意匠面が光を反射し得るメッキなどで構成されると共に、固定装飾体８８および補助装飾体９４の機前側に臨む意匠面が可動装飾体７８,８０,８２の意匠面と同様に光を反射し得るよう構成される。第１および第３可動装飾体７８,８０は、展開姿勢で機前側に臨む裏面が光を反射し得るものの、ツヤ消し等によって意匠面よりも反射率を下げるなどで、意匠面と裏面との装飾態様を変えている。
【００６８】
(ベース発光手段)
前記第１後ベース４４には、左右に離間配置された両内側壁４４ａ,４４ａの前端に支持された基板ベース５５が、該第１後ベース４４の後壁から前方に離間した状態で設置され、この基板ベース５５の前面にベース発光手段５４が配設される(図７(ａ)参照)。ベース本体４２における第１後ベース４４と第１前ベース４８との設置スペースに収容されたベース発光手段５４は、基板５４ｂの前面に、ＬＥＤなどの発光体５４ａが複数実装され、発光体５４ａから前方へ光を照射し得るようになっている。なお、両支持部材５６,５６、連係部材５８および両可動部材６０,６０は、基板ベース５５と第１後ベース４４の後壁との間に収容可能になっている。ベース発光手段５４の前側に配置される前ベース組４８,５０、スライド部材８４および回動アームは、光を透過可能に構成され、集合装飾体に覆われる中央領域に合わせて装飾カバー５２に設けられたカバー発光部５３が、ベース発光手段５４から照射された光によって発光される。なお、実施例の装飾カバー５２は、カバー発光部５３が光を透過可能であるのに対し、集合装飾体の外側になる領域に、光を反射し得るメッキ加工が施される。可動演出装置４０は、可動装飾体７８,８０,８２が被覆姿勢から展開姿勢に姿勢変位することで露出する可動演出体７６の後側にカバー発光部５３が現れ(図９(ａ)参照)、カバー発光部５３の発光によって、互いに離れるように離散した可動装飾体７８,８０,８２の内側が発光演出される。
【００６９】
(実施例の作用)
前記可動演出装置４０は、初期状態において、被覆姿勢にある可動装飾体７８,８０,８２、固定装飾体８８および補助装飾体９４によって構成された集合装飾体に可動演出体７６が隠されると共に、両可動部材６０,６０がベース本体４２に収容されて、画像表示部１７ａの上側で、全体としてコンパクトにまとまっている。この初期状態において、駆動モータＭから作動部材６２に駆動力を伝える作動歯車６８の作動軸６９と作動部材６２の作動溝６２ｃからなる簡単なロック構造によって、連係部材５８を上昇位置とした作動部材６２を適切に支持することができるので、下降位置から上昇位置に持ち上げた連係部材５８を支持するために別途のストッパなどを必要とせず、部品点数を減らすことができる。そして、連係部材５８に可動部材６０が設けられると共に、連係部材５８に支持された連係機構を介して第２可動演出手段Ｋ２の可動物７６,７８,８０,８２が設けられているので、前記ロック構造により可動部材６０および可動物７６,７８,８０,８２、これらの連係する機構の荷重が支持され、可動部材６０および可動物７６,７８,８０,８２の姿勢が適切に保持される。
【００７０】
前記可動演出装置４０は、初期状態から中間状態に移行するにつれて、両可動部材６０,６０が第１姿勢を保ったままベース本体４２から下方に突き出て、可動装飾体７８,８０,８２が被覆姿勢から展開姿勢へ姿勢変位することで中央部から互いに離れるように開くと共に、可動装飾体７８,８０,８２の裏側から可動演出体７６が下降しつつ前方へ迫り出して表側に現れる。可動演出装置４０は、中間状態において、突出姿勢となった可動演出体の上側から横側を囲うように、展開姿勢となった可動装飾体７８,８０,８２が互いに離散して、可動演出体７６の意匠面全体が前側から視認可能となる。このときに、ベース本体４２から下方に突き出た両可動部材６０,６０が第１姿勢を保っており、可動演出体７６と第１可動装飾体７８との間に各可動部材６０の下端部が位置して機前側から視認できる。このように、可動演出装置４０は、初期状態から中間状態に移行に際して、可動装飾体７８,８０,８２の姿勢変位によって集合装飾体があたかもくす玉が割れるように形状を変え、この割れた集合装飾体の中から可動演出体７６が飛び出してくるような動作演出を行うことができる。ここで、複数の可動装飾体７８,８０,８２は、初期状態から中間状態に移行する際の可動演出体７６におけるベース本体４２に沿う変位方向である下側に配置されたもの程、可動演出体７６から離れるように姿勢変位して、初期状態から中間状態に移行に伴って下降する可動演出体７６の変位方向前側が開かれるような印象を与える。ここで、中間状態において、可動演出体７６が画像表示部１７ａの前側にかかると共に、左右の第１可動装飾体７８,７８の下部が画像表示部１７ａの前側にかかっている。
【００７１】
前記可動演出装置４０は、中間状態から最大動作状態に移行するにつれて、両可動部材６０,６０が下降しつつ前記規制部６４との当接位置の変化により互いに離間するように第１姿勢から第２姿勢に向けて徐々に姿勢変位する。このときは、可動演出体７６が突出姿勢で保持されると共に可動装飾体７８,８０,８２が展開姿勢で保持されて、第２可動演出手段Ｋ２は、両可動部材６０,６０の動作にかかわらず前記中間状態での姿勢が保たれる。両可動部材６０,６０は、中間状態から最大動作状態に移行するにつれて(前記第２作動範囲での連係部材５８の変位に対応)、可動演出体７６および第１可動装飾体７８よりも下方に突き出ると共に、第１可動装飾体７８の下側に延在するように開く。このように、可動演出装置４０は、初期状態から中間状状態での割れた集合装飾体の中から可動演出体７６が飛び出してくるような動作演出の後に、中間状態から最大動作状態に移行に際して、両可動部材６０,６０によって割れた集合装飾体の中から飾りのように垂れ下がって開くような動作演出を行わせることができる。
【００７２】
前記可動演出装置４０は、最大動作状態から中間状態に移行するにつれて、両可動部材６０,６０が上昇しつつ前記規制部６４との当接位置の変化により互いに近接するように第２姿勢から第１姿勢に向けて徐々に姿勢変位する。このとき、第２可動演出手段Ｋ２は、両可動部材６０,６０の動作にかかわらず前記中間状態での姿勢が保たれる。前記可動演出装置４０は、中間作状態から初期状態に移行するにつれて、両可動部材６０,６０が第１姿勢を保ったままベース本体４２の内部に収容されるよう上昇し、可動装飾体７８,８０,８２が展開姿勢から被覆姿勢へ姿勢変位することで中央部へ互いに近づくように閉じると共に、可動演出体７６が上昇しつつ後退する。そして、可動演出装置４０は、初期状態において、被覆姿勢にある可動装飾体７８,８０,８２、固定装飾体８８および補助装飾体９４によって構成された集合装飾体に可動演出体７６が隠されると共に、両可動部材６０,６０がベース本体４２に収容される。
【００７３】
前記第１可動演出手段Ｋ１によれば、可動部材６０は、第１作動範囲での連係部材５８の上下変位につれて第１姿勢を保ったまま上下方向に移動すると共に、第１作動範囲よりも下側の第２作動範囲での連係部材５８の下降につれて、第１姿勢から第２姿勢へ向けて自重により徐々に姿勢変位する。このように、姿勢を変えることなく可動部材６０が上昇または下降する態様と、下降しつつ可動部材６０が第１姿勢から第２姿勢へ姿勢変位する態様との異なる動作を、単一の駆動モータＭによって複数の駆動モータを用いることなく行わせることができる。また、可動部材６０は、第２作動範囲での連係部材５８の上昇につれて、第２姿勢から第１姿勢へ向けて規制部６４により押されて徐々に姿勢変位する。このように、姿勢を変えることなく可動部材６０が上昇または下降する態様と、下降しつつ可動部材６０が第１姿勢から第２姿勢へ姿勢変位する態様と、上昇しつつ可動部材６０が第２姿勢から第１姿勢へ姿勢変位する態様との異なる動作を、単一の駆動モータＭによって行わせることができる。すなわち、可動演出装置４０は、複数の態様で動作する可動部材６０による興趣のある演出を、少ない部品で実施し得ると共に、製造コストを低廉にし得る。また、前記第２作動範囲において可動部材６０の姿勢変位を規定する規制部６４は、可動部材６０との当接面が湾曲するように形成されているので、規制部６４と可動部材６０との摺動負荷が軽減し、可動部材６０を円滑に姿勢変位させることができる。しかも、可動演出装置４０は、連係部材５８の上下変位に連動して、第２可動演出手段Ｋ２を動作させることができ、可動部材６０の動作と第２可動演出手段の可動物７６,７８,８０,８２の動作とを複合させた興趣に富んだ演出を、複数の駆動手段を用いることなく行うことができる。
【００７４】
前記第２可動演出手段Ｋ２によれば、可動演出体７６を、スライド部材８４の第１位置および第２位置の間での往復移動につれて、スライド部材８４の移動方向に変位させると共にベース本体４２に対して近接または離間する方向に変位させることができる。このように、可動演出体７６に三次元的な動作を与え得るから、可動演出体７６の動作によるインパクトを高めて、遊技の興趣の増大を図り得る。また、可動演出体７６を、前記第１可動演出手段Ｋ１と共用した単一の駆動モータＭによって三次元的に変位させ得るから、コストを低減し得ると伴に、駆動手段の配置に要するスペースを小さくでき、省スペース化を図り得る利点がある。第２可動演出手段Ｋ２は、可動演出体７６が複数の可動装飾体７８,８０,８２に覆われた状態から現れるように動作するので、可動演出体７６の動作によるインパクトをより高めて、遊技の興趣の増大を図り得る。また、可動演出体７６に他の可動装飾体７８,８０,８２が単に重なっているだけでなく、可動演出体７６が、複数の可動装飾体７８,８０,８２、固定装飾体８８および補助装飾体９４で画成されるスペースに収容されて隠された状態から現れるので、可動演出体７６の動作によるインパクトをより高めて、遊技の興趣の増大を図り得る。更に、可動演出体７６の動作と可動装飾体７８,８０,８２の動作と前記可動部材６０の動作とが複合して大きな意匠的な変化が生じるから、非常に印象的な動作演出を行い得る。
【００７５】
前記第２可動演出手段Ｋ２の第１可動装飾体７８は、可動演出体７６を動かすスライド部材８４の移動に連動して動作するので、異なる態様で動作する可動演出体７６および可第１動装飾体７８が複合した興趣のある演出を、第１可動演出手段Ｋ１と共用した単一の駆動モータＭで達成でき、部品点数を減らしてコストを低廉にし得る。第２可動演出手段Ｋ２の第２可動装飾体８０は、可動演出体７６を動かすスライド部材８４の移動に連動して回動して前記第１可動装飾体７８を動作させる回動アーム１０２に連係して動作するので、異なる態様で動作する可動演出体７６、第１可動装飾体７８および第２可動装飾体８０が複合した興趣のある演出を、複数の駆動手段を用いることなく少ない部品で実施できる。また、第２可動演出手段Ｋ２の第３可動装飾体８２は、スライド部材８４の移動に連動して揺動するリンク部材８６に配設されて、可動演出体７６を動作させるリンク部材８６の揺動に連動して動作するので、異なる態様で動作する可動演出体７６および複数の可動装飾体７８,８０,８２が複合した興趣のある演出を、単一の前記駆動モータＭによって実施させることができる。このように、可動演出装置４０は、可動部材６０および可動物７６,７８,８０,８２などの動作する部材の全てが、共用の駆動モータＭの駆動力により動作するので、部品点数を減らしてコストを低廉にし得る。
【００７６】
(変更例)
なお、本発明に係る遊技機の構成としては、前述した実施例に示したものに限らず、種々の変更が可能で、例えば以下のものを採用可能である。
(１)実施例の可動部材は、前後方向の軸周りに揺動するよう構成したが、これに限られず、左右方向の軸周りに揺動する等、その他の向きに姿勢変位させてもよい。
(２)実施例の可動部材は、第１分岐片とこの第１分岐片より小さい第２分岐片を設けることで、第１分岐片側に重心が位置するよう設定したが、形状によって重心を設定するのではなく例えば重りを取り付けるなどによって重心位置を調節してもよい。
(３)可動部材の数は、２つの限られず、１つであっても、３つ以上であってもよい。また、複数の可動部材の配置も左右に並ぶ構成に限られず、前後または上下などの関係で配置してもよい。
(４)隣り合う可動部材が、互いに近接・離間するように姿勢変位する構成に限られず、同じ方向に姿勢変位するようにしてもよい。
(５)複数の可動部材は、同期して第１姿勢および第２姿勢の間で姿勢変位する構成に限られず、規制部との当接可能範囲をずらすことで、異なる期間でずれて姿勢変位するようにしてもよい。
(６)可動演出体の三次元的な動作態様は、実施例に限られず、例えばベースに沿って前後方向に移動しつつベースに対して近接・離間するように上下方向に移動する構成であってもよい。
(７)可動装飾体の全部または一部を省略してもよく、可動装飾体の動作態様も実施例に限定されない。
(８)駆動手段としては、モータに限られず、ソレノイドやその他の手段を用いることができる。
(９)遊技機としては、パチンコ機に限られるものではなく、アレンジボール機やパチンコ球を用いたスロットマシン等、その他各種の遊技機であってもよい。
【００７７】
(１０)第２可動演出手段は、実施例の構成に限られず、可動演出体や可動装飾体を省略してもよい。また、可動演出体および可動装飾体の動作態様も実施例に限定されず、可動部材と重なる関係にあれば様々な態様を採用し得る。
【符号の説明】
【００７８】
４０  可動演出装置
４２  ベース本体(ベース)
５６  支持部材
５８  連係部材
６２  作動部材
６０  可動部材
６２ｃ  作動溝
６４  規制部
６８  作動歯車(回転体)
６９  作動軸
Ｍ  駆動モータ(駆動手段)
Ｋ２  第２可動演出手段(可動演出手段)
【図１】
2014100251.tif 000003
【図２】
2014100251.tif 000004
【図３】
2014100251.tif 000005
【図４】
2014100251.tif 000006
【図５】
2014100251.tif 000007
【図６】
2014100251.tif 000008
【図７】
2014100251.tif 000009
【図８】
2014100251.tif 000010
【図９】
2014100251.tif 000011
【図１０】
2014100251.tif 000012
【図１１】
2014100251.tif 000013
【図１２】
2014100251.tif 000014
【図１３】
2014100251.tif 000015
【図１４】
2014100251.tif 000016
【図１５】
2014100251.tif 000017
【図１６】
2014100251.tif 000018
【図１７】
2014100251.tif 000019
【図１８】
2014100251.tif 000020
【図１９】
2014100251.tif 000021